(57)【要約】  ＪＡＳＯ  Ｍ３４５：２００３の要件を満たす潤滑油の調製方法であって：原料を水素異性化脱ろうして基油を生成する工程、並びに当該基油を５重量％未満の溶媒及び清浄剤／分散剤添加剤パッケージとブレンドする工程を含む上記方法。潤滑油の製造方法であって、流動点が低下した基油ブレンドを清浄剤／分散剤添加剤パッケージ、煙抑制剤、場合により流動点降下剤、及び場合により約５重量％未満の炭化水素溶媒と一緒にブレンドする工程を含み、これにより２サイクルガソリンエンジン潤滑油を生成する方法。２サイクルガソリンエンジン潤滑油の製造方法であって、供給物の異性化によって流動点低下ブレンド成分を調製する工程、これを軽留出液基油とブレンドして流動点低下基油ブレンドを生成する工程、並びに流動点が低下した基油ブレンドを清浄剤／分散剤添加剤パッケージ及び５重量％未満の溶媒とブレンドする工程を含む方法。本明細書に記載の方法によって製造される潤滑油。
2010538116.tif 000002
【特許請求の範囲】
【請求項１】
潤滑油の調製方法であって：
ａ．実質的にパラフィン系のワックス供給物を水素異性化脱ろうし、それによって、潤滑油基油を生成すること；及び、
ｂ．潤滑油基油の１つ又は複数の留分を：
ｉ．全潤滑油組成物を基準にして約５重量％未満の、２５０℃未満の最高沸点を有する炭化水素溶媒、及び
ｉｉ．清浄剤／分散剤添加剤パッケージ
とブレンドすること
を含み、潤滑油がＪＡＳＯ  Ｍ３４５：２００３の要件を満たす上記方法。
【請求項２】
実質的にパラフィン系のワックス供給物が、フィッシャー−トロプシュ由来である、請求項１に記載の方法。
【請求項３】
実質的にパラフィン系のワックス供給物を生成するのに用いられるフィッシャー−トロプシュプロセスのための原料が、バイオマス、天然ガス、石炭、シェール油、石油、一般廃棄物、これらの誘導物、及びこれらの組合せからなる群から選択される炭化水素系供給源である、請求項２に記載の方法。
【請求項４】
水素異性化脱ろうが、形状選択性中間孔径分子篩、貴金属水素化成分、及び耐火性酸化物支持体を含む触媒を用いる、請求項１に記載の方法。
【請求項５】
形状選択性中間孔径分子篩が、ＳＡＰＯ−１１、ＳＡＰＯ−３１、ＳＡＰＯ−４１、ＳＭ−３、ＺＳＭ−２２、ＺＳＭ−２３、ＺＳＭ−３５、ＺＳＭ−４８、ＺＳＭ−５７、ＳＳＺ−３２、オフレタイト、フェリエライト、及びこれらの組合せからなる群から選択される、請求項４に記載の方法。
【請求項６】
貴金属水素化成分が、白金、パラジウム、又はこれらの組合せである、請求項４に記載の方法。
【請求項７】
潤滑油基油の１つ又は複数の留分を、全潤滑油組成物を基準にして約２重量％未満の、２５０℃未満の最高沸点を有する炭化水素溶媒とブレンドすることを含む、請求項１に記載の方法。
【請求項８】
潤滑油基油の１つ又は複数の留分を、炭化水素を本質的に有していない溶媒とブレンドすることを含む、請求項７に記載の方法。
【請求項９】
潤滑油基油の１つ又は複数の留分を、ポリブテン、ポリイソブチレン及びこれらの混合物から選択される煙抑制剤とブレンドすることを更に含む、請求項１に記載の方法。
【請求項１０】
潤滑油基油の１つ又は複数の留分を流動点降下剤とブレンドすることを更に含む、請求項１に記載の方法。
【請求項１１】
潤滑油基油の１つ又は複数の留分を流動点低下ブレンド成分とブレンドすることを更に含む、請求項１に記載の方法。
【請求項１２】
潤滑油基油の１つ又は複数の留分が、１００℃において約１．５〜約３．５ｍｍ２／ｓの間の動粘度を有する、請求項１に記載の方法。
【請求項１３】
潤滑油基油の１つ又は複数の留分が、９０重量％未満のノアック揮発度を有する、請求項１に記載の方法。
【請求項１４】
潤滑油基油の１つ又は複数の留分が、１．５〜４．０ｍｍ２／ｓの間の動粘度、及びノアック揮発度因子（１）＝１６０−（４０×１００℃における動粘度）未満のノアック揮発度を有する、請求項１３に記載の方法。
【請求項１５】
潤滑油基油の１つ又は複数の留分が、２．０９〜４．０ｍｍ２／ｓの間の動粘度、及びノアック揮発度因子（２）＝（９００×（１００℃における動粘度）−２．８）−１５未満のノアック揮発度を有する、請求項１４に記載の方法。
【請求項１６】
潤滑油基油の１つ又は複数の留分が、ＡＳＴＭ  Ｄ３２３８−９５（２００５）による約９０重量％超のパラフィン炭素及び０．０１重量％未満の芳香族炭素を有する、請求項１に記載の方法。
【請求項１７】
潤滑油基油の１つ又は複数の留分が、３５時間を超えるオキシデータＢＮを有する、請求項１に記載の方法。
【請求項１８】
潤滑油が、ＡＳＴＭ  Ｄ９２−０５ａによる１２０℃を超える引火点を有する、請求項１に記載の方法。
【請求項１９】
潤滑油基油が、２８×Ｌｎ（１００℃における動粘度）＋９５を超える粘度指数を有する、請求項１に記載の方法。
【請求項２０】
潤滑油を製造する方法であって：
ａ．一緒に：
ｉ．１００℃において約１．５〜約３．５ｍｍ２／ｓの間の動粘度を有する基油の１つ又は複数の留分、及び
ｉｉ．流動点低下ブレンド成分
をブレンドして、流動点が低下した基油ブレンド成分を生成すること；並びに
ｂ．流動点が低下した基油ブレンドに：
ｉ．清浄剤／分散剤添加剤パッケージ；
ｉｉ．煙抑制剤；
ｉｉｉ．場合により流動点降下剤；及び
ｉｖ．場合により、約５重量％未満の、２５０℃未満の最高沸点を有する炭化水素溶媒
を添加すること
を含み、これにより２サイクルガソリンエンジン潤滑油を生成する上記方法。
【請求項２１】
２サイクルガソリンエンジン潤滑油が：
（ａ）−２５℃における良好な低温流動性；
（ｂ）−２５℃におけるＡＳＴＭ  Ｄ４６８２−８７（再承認２００２年）による混和性試験における合格の結果；
（ｃ）６５を超える排気煙指数；及び
（ｄ）約−３５℃以下の流動点
を有する、請求項２０に記載の方法。
【請求項２２】
基油の１つ又は複数の留分が、ワックス供給物から製造されている、請求項２０に記載の方法。
【請求項２３】
排気煙指数が８５以上である、請求項２０に記載の方法。
【請求項２４】
流動点が約−４０℃以下である、請求項２０に記載の方法。
【請求項２５】
煙抑制剤がポリイソブチレンである、請求項２０に記載の方法。
【請求項２６】
炭化水素溶媒が、脱芳香族化脂肪族溶媒である、請求項２０に記載の方法。
【請求項２７】
炭化水素を本質的に有していない溶媒が添加されている、請求項２０に記載の方法。
【請求項２８】
流動点低下ブレンド成分が、１５ｍｍ２／ｓの動粘度及び４０％の摺動対転がり比において測定されるとき、０．０１５未満のトラクション係数を有する、請求項２０に記載の方法。
【請求項２９】
ＪＡＳＯ  Ｍ３４５：２００３の要件を満たす２サイクルガソリンエンジン潤滑油を製造する方法であって：
ａ．供給物を異性化することによって流動点低下ブレンド成分を調製すること；
ｂ．流動点低下ブレンド成分を、
ｉ．１００℃において約１．５〜約３．５ｍｍ２／ｓの間の動粘度を有する留出液基油とブレンドして、流動点が低下した基油ブレンドを生成すること；
ｃ．流動点が低下した基油ブレンドを：
ｉ．清浄剤／分散剤添加剤パッケージ；及び
ｉｉ．全２サイクルガソリンエンジン潤滑油を基準にして５重量％未満の、２５０℃未満の最高沸点を有する炭化水素溶媒
と適切な割合でブレンドして、２サイクルガソリンエンジン潤滑油を得ること
を含む上記方法。
【請求項３０】
供給物が、フィッシャー−トロプシュ由来ワックス、石油由来ワックス、プラスチック、及びこれらの混合物からなる群から選択される、請求項２９に記載の方法。
【請求項３１】
流動点低下ブレンド成分が：
ａ．異性化フィッシャー−トロプシュ由来ボトム生成物；
ｂ．異性化高ろう状鉱油から調製されるボトム生成物；
ｃ．１００℃において少なくとも約８ｍｍ２／ｓの動粘度を有する、ポリエチレンプラスチックから製造される異性化油；及び
ｄ．これらの混合物
からなる群から選択される、請求項２９に記載の方法。
【請求項３２】
流動点低下ブレンド成分を：
ｉ．ポリエチレンプラスチックの熱分解；
ｉｉ．熱分解工程から重質分を分離すること；
ｉｉｉ．重質分を水素処理すること；
ｉｖ．水素処理された重質分を触媒異性化すること；及び
ｖ．１００℃において少なくとも約８ｍｍ２／ｓの動粘度を有する異性化生成物の留分を選択すること
によって調製する、請求項２９に記載の方法。
【請求項３３】
流動点低下ブレンド成分が、１５ｍｍ２／ｓの動粘度において及び４０％の摺動対転がり比で測定されるとき、０．０１５未満のトラクション係数を有する、請求項２９に記載の方法。
【請求項３４】
２サイクルガソリンエンジン潤滑油が、−２５℃において良好な低温流動性を有する、請求項２９に記載の方法。
【請求項３５】
２サイクルガソリンエンジン潤滑油が、６５を超える排気煙指数を有する、請求項２９に記載の方法。
【請求項３６】
２サイクルガソリンエンジン潤滑油が、０．１８以下の重量％硫酸灰分を有する、請求項２９に記載の方法。
【請求項３７】
流動点低下ブレンド成分を煙抑制剤とブレンドすることを更に含む、請求項２９に記載の方法。
【請求項３８】
留出液基油が、フィッシャー−トロプシュ由来である、請求項２９に記載の方法。
【請求項３９】
ａ．実質的にパラフィン系のワックス供給物を水素異性化脱ろうすることにより、潤滑油基油を生成すること：並びに
ｂ．潤滑油基油の１つ又は複数の留分を：
ｉ．全潤滑油組成物を基準にして約５重量％未満の、２５０℃未満の最高沸点を有する炭化水素溶媒、及び
ｉｉ．清浄剤／分散剤添加剤パッケージ
とブレンドすること
を含み、潤滑油がＪＡＳＯ  Ｍ３４５：２００３の要件を満たす方法によって製造される潤滑油。
【請求項４０】
実質的にパラフィン系のワックス供給物が、フィッシャー−トロプシュ由来である、請求項３９に記載の方法によって製造される潤滑油。
【請求項４１】
水素異性化脱ろうにおいて、形状選択性中間孔径分子篩、貴金属水素化成分、及び耐火性酸化物支持体を含む触媒を用いる、請求項３９に記載の方法によって製造される潤滑油。
【請求項４２】
潤滑油基油の１つ又は複数の留分を、全潤滑油を基準にして約２重量％未満の、２５０℃未満の最高沸点を有する炭化水素溶媒とブレンドすることを含む、請求項３９に記載の方法によって製造される潤滑油。
【請求項４３】
潤滑油基油の１つ又は複数の留分を、炭化水素を本質的に有していない溶媒とブレンドすることを含む、請求項３９に記載の方法によって製造される潤滑油。
【請求項４４】
潤滑油基油の１つ又は複数の留分を、ポリブテン、ポリイソブチレン及びこれらの混合物からなる群から選択される煙抑制剤とブレンドすることを更に含む、請求項３９に記載の方法によって製造される潤滑油。
【請求項４５】
潤滑油基油の１つ又は複数の留分を流動点降下剤とブレンドすることを更に含む、請求項３９に記載の方法によって製造される潤滑油。
【請求項４６】
潤滑油基油の１つ又は複数の留分が、ＡＳＴＭ  Ｄ３２３８−９５（２００５）による約９０重量％超のパラフィン炭素及び０．０１重量％未満の芳香族炭素を有する、請求項３９に記載の方法によって製造される潤滑油。
【請求項４７】
ＪＡＳＯ  Ｍ３４５：２００３、区分Ｃ又は区分Ｄの要求を満たす、請求項３９に記載の方法によって製造される潤滑油。
【請求項４８】
ＩＳＯ１３７３８：２０００（Ｅ）の要求を満たす、請求項３９に記載の方法によって製造される潤滑油。
【請求項４９】
−２５℃において良好な低温流動性を有する、請求項３９に記載の方法によって製造される潤滑油。
【請求項５０】
−１０℃又は−２５℃におけるＡＳＴＭ  Ｄ４６８２−８７（再承認２００２年）による混和性試験において合格の結果を有する、請求項３９に記載の方法によって製造される潤滑油。
【発明の詳細な説明】
【技術分野】
【０００１】
本発明は、必要とする炭化水素溶媒の量が少ない改良された２サイクルガソリンエンジン潤滑油組成物の製造方法を対象とする。
【背景技術】
【０００２】
２サイクルエンジンは、４サイクルエンジンに対して３つの重要な利点を有する：
・２サイクルエンジンは、バルブを有さず、その構造を単純にし、その重量を低下させる。
・２サイクルエンジンは、循環のたびに一度燃焼するが、４サイクルエンジンは循環一回おきに一度燃焼する。これは２サイクルエンジンにかなりの高出力を付与する。
・２サイクルエンジンは任意の幾何学的配置において稼働することができ、このことは、チェーンソーのようなものにおいて重要であり得る。標準の４サイクルエンジンは、直立（ｕｐｒｉｇｈｔ）でない限り油の流れによる問題を有する場合があり、この問題を解決することによって、エンジンに複雑さを加える可能性がある。
【０００３】
２サイクルエンジンには少なくとも３つの潜在的な不利点が存在する：
・２サイクルエンジンは、４サイクルエンジンほど長くは持続しない。専用の潤滑系の欠失は、２サイクルエンジンの部品がかなり早く摩耗することを意味する。
・２サイクルガソリンエンジン潤滑油は高価であり、ガソリン１ガロンあたり約４オンスを必要とする。自動車に２サイクルエンジンを使用するなら、１，０００マイルごとに約１ガロンの潤滑油が消費される。
・２サイクルエンジンは、２サイクルガソリンエンジン潤滑油の消費による煙、及び排気ポートを介した２サイクルガソリンエンジン潤滑油の漏出を含めた多くの汚染をもたらす。
【発明の概要】
【発明が解決しようとする課題】
【０００４】
大部分の２サイクルガソリンエンジン潤滑油は、低沸点炭化水素溶媒及びＳＡＥ４０鉱物基油を用いて配合される。他には低沸点溶媒を含まないエステル基油が使用されており、危険な可能性を低減し、煙の排出を最小にするが、これらの潤滑油はあまり良好な酸化安定性を有していない。他には改良された低温特性を有するポリアルファオレフィン基油が使用されている。ポリアルファオレフィン及びエステル基油は在庫が限定されており非常に高価である。あまり高価でない基油を含み且つ規格設定機関によって設定された要件を満たす改良された２サイクルガソリンエンジン潤滑油組成物が望ましい。また、これらの潤滑油組成物は、低減されたレベルの炭化水素溶媒、低減されたエンジン摩耗、及び低減された汚染を有することが望ましい。また、２サイクルガソリンエンジン潤滑油組成物は、良好な低温性能、良好なガソリン混和性、及び高い酸化安定性を有することが望ましい。また、２サイクルガソリンエンジン潤滑油組成物は、より高い引火点及び低減された可燃性を有することが望ましい。また、２サイクルガソリンエンジン潤滑油組成物は、ポリエチレンプラスチックを用いて製造され得、廃プラスチックによる環境汚染を低減することが望ましい。
【課題を解決するための手段】
【０００５】
本発明は、潤滑油の調製方法であって：
ａ．実質的にパラフィン系のワックス供給物を水素異性化脱ろうし、それによって、潤滑油基油を生成すること；及び
ｂ．潤滑油基油の１つ又は複数の留分を：
ｉ．全潤滑油組成物を基準にして約５重量％未満の、２５０℃未満の最高沸点（ｍａｘｉｍｕｍ  ｂｏｉｌｉｎｇ  ｐｏｉｎｔ）を有する炭化水素溶媒、及び
ｉｉ．清浄剤／分散剤添加剤パッケージ
とブレンドすること
を含み、潤滑油がＪＡＳＯ  Ｍ３４５：２００３の要件を満たす方法を提供する。
【０００６】
本発明はまた、潤滑油の製造方法であって：
ａ．一緒に：
ｉ．１００℃において約１．５〜約３．５ｍｍ２／ｓの間の動粘度を有する基油の１つ又は複数の留分、及び
ｉｉ．流動点（ｐｏｕｒ  ｐｏｉｎｔ）低下ブレンド成分
をブレンドして、流動点が低下した基油ブレンドを生成すること；並びに
ｂ．流動点が低下した基油ブレンドに：
ｉ．清浄剤／分散剤添加剤パッケージ；
ｉｉ．煙抑制剤；
ｉｉｉ．場合により流動点降下剤；及び
ｉｖ．場合により、約５重量％未満の、２５０℃未満の最高沸点を有する炭化水素溶媒
を添加すること
を含み、これにより２サイクルガソリンエンジン潤滑油を生成する上記方法も提供する。
【０００７】
本発明はまた、ＪＡＳＯ  Ｍ３４５：２００３の要件を満たす２サイクルガソリンエンジン潤滑油の製造方法であって：
ａ．供給物を異性化することによって流動点低下ブレンド成分を調製すること；
ｂ．流動点低下ブレンド成分を、
ｉ．１００℃において約１．５〜約３．５ｍｍ２／ｓの間の動粘度を有する留出液基油とブレンドして、流動点が低下した基油ブレンドを生成すること；
ｃ．流動点が低下した基油ブレンドを：
ｉ．清浄剤／分散剤添加剤パッケージ；及び
ｉｉ．全２サイクルガソリンエンジン潤滑油を基準にして５重量％未満の、２５０℃未満の最高沸点を有する炭化水素溶媒
と適切な割合でブレンドして、２サイクルガソリンエンジン潤滑油を得ること
を含む上記方法も提供する。
【０００８】
本発明はまた、
ａ．実質的にパラフィン系のワックス供給物を水素異性化脱ろうして基油を生成すること；及び
ｂ．潤滑油基油の１つ又は複数の留分を：
ｉ．全潤滑油組成物を基準にして約５重量％未満の、２５０℃未満の最高沸点を有する炭化水素溶媒；及び
ｉｉ．清浄剤／分散剤添加剤パッケージ
とブレンドすること
を含み、潤滑油がＪＡＳＯ  Ｍ３４５：２００３の要件を満たす方法によって製造される潤滑油も提供する。
【図面の簡単な説明】
【０００９】
【図１】１００℃における動粘度対ノアック揮発度のプロットを重量パーセントで示し、重量％ノアック揮発度の上限の計算式を与える：  ノアック揮発度因子（１）＝１６０−４０（１００℃における動粘度）、及び  ノアック揮発度因子（２）＝９００×（１００℃における動粘度）−２．８−１５、ここで、１００℃における動粘度は、第２式において−２．８乗まで上昇する。
【発明を実施するための形態】
【００１０】
２サイクルガソリンエンジンを操作するために、クランクケースは、２サイクルガソリンエンジン潤滑油及び燃料の混合物を保持する。２サイクルエンジンでは、クランクケースが加圧室として機能して空気／燃料をシリンダー内に送り込むため、４サイクルエンジンで用いられ得るような高粘度油を保持することができない。代わりに、特殊な２サイクルガソリンエンジン潤滑油を燃料に混入させて、クランク軸、コネクティングロッド及びシリンダー壁に潤滑油を供給する。
【００１１】
２サイクルガソリンエンジン潤滑油及び燃料の推奨される混合比は、エンジン製造業者によって指定されている。２サイクルガソリンエンジンに有用な燃料は当業者によく知られており、主成分として、炭化水素系石油留出物燃料などの通常液体である燃料、例えば、ＡＳＴＭ  Ｄ４８１４−０７によって定義されている火花点火エンジン燃料、又はＡＳＴＭ  Ｄ４３９−８９によって定義されているモーターガソリンなどを大抵含む。そのような燃料はまた、例えば、アルコール、エーテル、有機窒素化合物などの非炭化水素系材料を含むことができる。例えば、メタノール、エタノール、ジエチルエーテル、メチルエチルエーテル、ニトロメタン及びそのような燃料は、液体燃料がトウモロコシ、スイッチグラス（ｓｗｉｔｃｈ  ｇｒａｓｓ）、アルファシェール及び石炭などの植物並びに鉱物源に由来する液体であるとき、本発明の範囲内にある。そのような燃料混合物の例は、ガソリン及びエタノール、ディーゼル燃料及びエーテル、ガソリン及びニトロメタンの組合せなどである。一実施形態において、燃料は無鉛ガソリンである。
【００１２】
２サイクルガソリンエンジン潤滑油は、潤滑油１重量部あたり燃料約２０〜２５０重量部の量で、より典型的には、潤滑油１重量部あたり燃料約３０〜１００重量部の量で燃料と混合して使用される。
【００１３】
２サイクルガソリンエンジン潤滑油は、日本自動車規格ＪＡＳＯ  Ｍ３４５：２００３及び国際規格ＩＳＯ  １３７３８：２０００（Ｅ）を含めた規格設定機関によって設定された要件を満たさなければならない。これら２つの規格の要件を以下の表にまとめる。
表Ｉ
【表１】
2010538116.tif 000003
【００１４】
上記の要件の表における指数は、ＪＡＴＲＥ−１の油が１００の値を有するとすることによって決定される。区分Ｃは、優れた排気煙性能及び排気系遮断傾向を有するいわゆる低煙型オイルに適用する。区分Ｄは、エンジンが熱いときに区分Ｃの油より良好な清浄性を有する油に適用される。ＩＳＯ規格において区分Ｂ、Ｃ及びＤの油は全て最大０．１８重量％の硫酸灰分（ｓｕｌｆａｔｅｄ  ａｓｈ）含量を有する。硫酸灰分は、ＩＳＯ３９８７又はＡＳＴＭ  Ｄ８７４−００に従って測定されてよい。
【００１５】
更に、これらの潤滑油は、低温に遭遇する条件で使用されるとき良好な低温流動性を有することが望ましい。低温流動性は、−１０℃、−２５℃、及び−４０℃の規定温度においてＡＳＴＭ  Ｄ２９８３−０４ａによって測定されるブルックフィールド粘度を決定することによって測定される。測定される温度の１つにおける「良好な低温流動性」は、試験される油が約７５００ｍＰａ．ｓ以下のブルックフィールド粘度を有するときであると本開示において定義されている。例えば、−１０℃における良好な低温流動性とは、油が−１０℃において約７５００ｍＰａ．ｓ以下のブルックフィールド粘度を有することを意味し；−２５℃における良好な低温流動性とは、油が−２５℃において約７５００ｍＰａ．ｓ以下のブルックフィールド粘度を有することを意味し；また、−４０℃における良好な低温流動性とは、油が−４０℃において約７５００ｍＰａ．ｓ以下のブルックフィールド粘度を有することを意味する。
【００１６】
更に、これらの潤滑油は、−１０℃及び／又は−２５℃の温度でＡＳＴＭ  Ｄ４６８２−８７（再承認２００２年）による混和性試験において合格の結果を有することが望ましい。
【００１７】
２サイクルガソリンエンジン潤滑油組成物は、噴射装置の油として、すなわち、船外モーター、スノーモービル、オートバイ、モッペト、ＡＴＶ、ゴルフカート、芝刈り機、チェーンソー、ストリングトリマーなどを含めた、気化による、電子燃料噴射及び直接燃料噴射２サイクルエンジンにおけるガソリンなどの適切な燃料による最大１５０：１の燃料対潤滑油混合比において特に好適である。
【００１８】
基油：
２サイクルガソリンエンジン潤滑油組成物に使用される潤滑油基油は、実質的にパラフィン系のワックス供給物から誘導される。用語「実質的にパラフィン系の」とは、一般に４０重量％超の高レベルのｎ−パラフィンを含有することを意味する。いくつかの実質的にパラフィン系のワックス供給物は、例えば５０重量％超、又は７５重量％超のｎ−パラフィンを有し得る。実質的にパラフィン系のワックス供給物の一例は、フィッシャー−トロプシュプロセスにおいて生成されるワックスである。別の例は、高度に精製されたスラックワックスである。
【００１９】
フィッシャー−トロプシュワックスは、周知のプロセス、例えば、工業用ＳＡＳＯＬ（登録商標）スラリー相フィッシャー−トロプシュ技術、工業用ＳＨＥＬＬ（登録商標）中間留分合成（ＳＭＤＳ）プロセス、又は非工業用ＥＸＸＯＮ（登録商標）改良型ガス転換（ＡＧＣ−２１）プロセスによって得ることができる。これらのプロセス及び他の詳細は、例えば、ＥＰ−Ａ−７７６９５９、ＥＰ−Ａ−６６８３４２；米国特許第４，９４３，６７２号、同５，０５９，２９９号、同第５，７３３，８３９号、及びＲＥ３９０７３；並びに米国特許公開第２００５／０２２７８６６号、ＷＯ−Ａ−９９３４９１７、ＷＯ−Ａ−９９２０７２０及びＷＯ−Ａ−０５１０７９３５に記載されている。フィッシャー−トロプシュ合成生成物は、１〜１００、又は更に１００を超える炭素原子を有する炭化水素を通常含み、典型的には、パラフィン、オレフィン及び酸化生成物が挙げられる。フィッシャー−トロプシュは、フィッシャー−トロプシュワックスを含めたクリーンな代替の炭化水素生成物を生成するのに実行可能なプロセスである。
【００２０】
スラックワックスは、水素化分解又は潤滑油留分の溶媒精製のいずれかによって従来の石油由来原料から得ることができる。典型的には、スラックワックスは、これらのプロセスの１つによって調製される溶媒脱ろう原料から回収される。水素化分解は、窒素含量を低い値に低減することもできるため、通常好ましい。スラックワックスは溶媒精製油から誘導され、脱油によって窒素含量を低減し粘度指数を上昇させることができる。スラックワックスの水素処理を用いて窒素及び硫黄含量を低下させることができる。スラックワックスは、スラックワックスが調製された油分及び出発原料に応じて、普通は約１４０〜２００の範囲内の非常に高い粘度指数を有する。したがって、スラックワックスは、２サイクルガソリンエンジン潤滑油において用いられる基油の調製に好適である。
【００２１】
一実施形態において、ワックス供給物は、窒素及び硫黄を組み合わせて合計２５ｐｐｍ未満を有する。窒素は、ＡＳＴＭ  Ｄ４６２９−０２による酸化燃焼及び化学発光検出の前にワックス供給物を融解させることによって測定される。試験方法は、本明細書において組み入れられる米国特許第６，５０３，９５６に更に記載されている。硫黄は、ＡＳＴＭ  Ｄ５４５３−００による紫外線蛍光の前にワックス供給物を融解させることによって測定される。試験方法は、本明細書において組み入れられる米国特許第６，５０３，９５６に更に記載されている。
【００２２】
ワックス含有サンプル中のノルマルパラフィン（ｎ−パラフィン）の決定には、０．１重量％の検出限界を有する個々のＣ７〜Ｃ１１０のｎ−パラフィンの含量を決定することができる方法を用いるべきである。使用される方法は、本開示において後述する。
【００２３】
ワックス供給物は、大規模なフィッシャー−トロプシュ合成プロセスが生産に加わる近未来において豊富であり且つ比較的コスト競争力があることが期待される。これらのワックス供給物から製造されるフィッシャー−トロプシュ由来基油、及びしたがってこれらを含む２サイクルガソリンエンジン潤滑油は、ポリアルファオレフィン又はエステルなどの他の合成油を用いて製造される潤滑油ほど高価でない。用語「フィッシャー−トロプシュ由来」すなわち「ＦＴ由来」とは、生成物、留分、又は供給物がフィッシャー−トロプシュプロセスによる任意の段階で生じ、又は生成されることを意味する。フィッシャー−トロプシュプロセスの原料は、バイオマス、天然ガス、石炭、シェール油、石油、一般廃棄物、これらの誘導物、及びこれらの組合せを含めた多種多様の炭化水素系供給源に由来していてよい。フィッシャー−トロプシュプロセスから調製される合成原料は、種々の固体、液体、及びガス状炭化水素の混合物を含む。潤滑油基油の範囲内で沸騰するこれらのフィッシャー−トロプシュ生成物は、これらを、基油に処理するための理想的な候補物質にする、高い割合のワックスを含有する。したがって、フィッシャー−トロプシュワックスは、高品質の基油を調製するための優れた供給物を提示する。フィッシャー−トロプシュワックスは、室温において通常固体であり、したがって、良好でない低温特性、例えば流動点及び曇り点を示す。しかし、ワックスの水素異性化に続いて、優れた低温特性を有するフィッシャー−トロプシュ由来基油を調製することができる。好適な水素異性化脱ろうプロセスの例の一般的な記載は、本明細書において組み入れられる米国特許第５，１３５，６３８号、及び同第５，２８２，９５８号；並びに米国特許出願第２００５０１３３４０９号に見出すことができる。
【００２４】
水素異性化は、水素異性化条件下、異性化領域において、ワックス供給物を水素異性化触媒に接触させることにより達成される。水素異性化触媒は、形状選択性中間孔径分子篩、貴金属水素化成分、及び耐火性酸化物支持体を好ましくは含む。形状選択性中間孔径分子篩は、ＳＡＰＯ−１１、ＳＡＰＯ−３１、ＳＡＰＯ−４１、ＳＭ−３、ＺＳＭ−２２、ＺＳＭ−２３、ＺＳＭ−３５、ＺＳＭ−４８、ＺＳＭ−５７、ＳＳＺ−３２、オフレタイト、フェリエライト、及びこれらの組合せからなる群から好ましくは選択される。一実施形態において、ＳＡＰＯ−１１、ＳＭ−３、ＳＳＺ−３２、ＺＳＭ−２３、ＺＳＭ−４８、及びこれらの組合せが使用される。一実施形態において、貴金属水素化成分は、白金、パラジウム、又はこれらの組合せである。
【００２５】
水素異性化条件は、使用されるワックス供給物、使用される水素異性化触媒、触媒が硫化されている（ｓｕｌｆｉｄｅｄ）か否か、基油の所望される収率及び所望される特性に依る。一実施形態の水素異性化条件の例として、２６０℃〜約４１３℃（５００〜約７７５°Ｆ）の温度；１５〜３０００ｐｓｉｇ、又は５０〜１０００ｐｓｉｇの全圧；及び約２〜３０ＭＳＣＦ／ｂｂｌ、約４〜２０ＭＳＣＦ／ｂｂｌ（約７１２．４〜約３５６２リットルＨ２／リットル油）、約４．５若しくは５〜約１０ＭＳＣＦ／ｂｂｌ、又は約５〜約８ＭＳＣＦ／ｂｂｌの水素対供給物比が挙げられる。一般に、水素は、生成物から分離されて異性化領域にリサイクルされてよい。１０ＭＳＣＦ／ｂｂｌの供給速度は１７８１リットルＨ２／リットル供給物に等しいことに注意されたい。一般に、水素は、生成物から分離されて異性化領域にリサイクルされてよい。
【００２６】
場合により、水素異性化脱ろうによって生成される基油は、水素化仕上げされてよい。水素化仕上げは、基油を１つ若しくは複数の留分に分別する前又は後のいずれかに、１つ又は複数の工程において起こり得る。水素化仕上げは、芳香族化合物、オレフィン、着色物体、及び溶媒を除去することにより、生成物の酸化安定性、ＵＶ安定性、及び外観を改良することを意図している。水素化仕上げの一般的な記載は、本明細書において組み入れられる米国特許第３，８５２，２０７号及び同第４，６７３，４８７号において見出すことができる。水素化仕上げ工程は、基油中のオレフィン重量パーセントを１０未満、５又は２未満、１未満、０．５未満、及び０．０５又は０．０１未満に低減することが必要である場合がある。水素化仕上げ工程はまた、芳香族化合物の重量パーセントを０．３又は０．１未満、０．０５未満、０．０２未満、及びいくつかの実施形態においては更に０．０１未満に低減することが必要である場合がある。
【００２７】
場合により、水素異性化脱ろうによって生成される基油は、ボーキサイト又はクレイなどの吸着剤によって処理して、不純物を除去し且つ着色及び生分解性を改良することができる。
【００２８】
基油は、ワックス供給物から製造されるため、連続する数（ｃｏｎｓｅｃｕｔｉｖｅ  ｎｕｍｂｅｒｓ）の炭素原子を有する。「連続する数の炭素原子」により、本発明者らは、ワックス供給物が連続する数の炭素原子も有するがゆえに、基油の炭化水素分子が連続する数の炭素原子によって互いに異なることを意味している。例えば、フィッシャー−トロプシュ炭化水素合成反応において、炭素原子の供給源はＣＯであり、炭化水素分子は１つの炭素原子で一度に構築される。石油由来ワックス供給物もまた連番（ｓｅｑｕｅｎｔｉａｌ）の炭素数を有する。ＰＡＯに基づく油とは対照的に、基油の分子は、より直鎖状の構造を有し、短い分枝鎖を有して比較的長い骨格を含む。ＰＡＯの古典的な教科書の記載では星形分子、特にトリデカンであり、中心点に付着した３つのデカン分子として図解されている。星形分子は理論上であるが、にもかかわらず、ＰＡＯ分子は、本開示において用いられる基油を作り上げる炭化水素分子のように、より少なく、より長い分子鎖を有する。別の実施形態において、連続する数の炭素原子を有する基油はまた、ｎ−ｄ−Ｍにより１０重量％未満のナフタレン炭素も有する。
【００２９】
一実施形態において、潤滑油基油は、留分に分離され、これにより１つ又は複数の留分が０℃未満、−９℃未満、−１５℃未満、−２０℃未満、−３０℃未満、又は−３５℃未満の流動点を有し得る。流動点は、ＡＳＴＭ  Ｄ５９５０−０２によって測定される。基油は異なる粘度等級の基油に場合により分別される。本開示の文脈において、「異なる粘度等級の基油」は、１００℃における動粘度が互いに少なくとも０．５ｍｍ２／ｓ異なる２種以上の基油として定義される。動粘度は、ＡＳＴＭ  Ｄ４４５−０６を用いて測定される。分別は真空蒸留ユニットを用いて行われ、予め選択された沸点範囲を有するカット留分を得る。留分の１つは蒸留ボトル生成物（ｂｏｔｔｏｍｓ  ｐｒｏｄｕｃｔ）であってよい。
【００３０】
一実施形態において、基油留分は、０．０１重量％未満の芳香族炭素及び約９０重量％超のパラフィン炭素を有する。炭素重量％の残りはナフタレン炭素である。芳香族炭素重量％、パラフィン炭素重量％及びナフタレン炭素重量％は、ＡＳＴＭ  Ｄ３２３８−９５（２００５）によるｎ−ｄ−Ｍ分析によって決定される。一実施形態において、パラフィン炭素重量％は約９０重量％〜約９７重量％の間であり、ナフタレン炭素重量％は、約３重量％〜約１０重量％の間である。
【００３１】
一実施形態において、潤滑油基油留分の粘度指数は高くてよい。これらは、２８×Ｌｎ（１００℃における動粘度）＋８０を超える粘度指数をしばしば有し得る。一実施形態において、これらは、２８×Ｌｎ（１００℃における動粘度）＋９５を超える粘度指数を有し得る。例えば、２．５ｍｍ２／ｓの油は、１０６を超える、場合により１２１を超える粘度指数を有し得；１２ｍｍ２／ｓの油は、１５０を超える、場合により１６５を超える粘度指数を有し得る。
【００３２】
別の実施形態において、基油は、−８℃未満の流動点；１００℃において少なくとも１．５ｍｍ２／ｓの動粘度；及び、式：２２×Ｌｎ（１００℃における動粘度）＋１３２によって計算される量を超える粘度指数を有する。この実施形態において、例えば、１００℃において２．５ｍｍ２／ｓの動粘度を有する油は、１５２を超える粘度指数を有し得る。これらの特性を有する基油は、米国特許公開第２００５００７７２０８号に記載されている。本開示における式に関連して、用語「Ｌｎ」は、底「ｅ」を有する自然対数をいう。粘度指数を測定するのに用いられる試験方法は、ＡＳＴＭ  Ｄ２２７０−０４である。
【００３３】
基油留分は、１００℃において約１．３〜２５ｍｍ２／ｓの間の動粘度を有する。一実施形態において、基油留分は、１００℃において約１．５〜約３．５ｍｍ２／ｓの間の動粘度を有する。別の実施形態において、基油留分は、約１．８〜約３．２ｍｍ２／ｓの間の動粘度を有する。
【００３４】
一実施形態において、基油留分は、優れた酸化安定性、低ノアック揮発度、並びに所望の添加剤溶解性及びエラストマー相溶性を与える。基油留分は、重量パーセントで１０未満、５未満、１未満、０．５未満、又は０．０５未満若しくは０．０１未満のオレフィンを有する。基油留分は、重量パーセントで０．１未満、０．０５未満、又は０．０２未満の芳香族化合物を有する。
【００３５】
「トラクション係数」（“ｔｒａｃｔｉｏｎ  ｃｏｅｆｆｉｃｉｅｎｔ”）は、摩擦力Ｆ及び法線力Ｎの無次元比として表される固有の潤滑油特性の指標であり、ここで摩擦とは、摺動若しくは転がり面間の移動に抵抗する又は移動を妨害する機械的な力である。トラクション係数は、直径４６ｍｍの平らな研磨ディスク（ＳＡＥ  ＡＩＳＩ  ５２１００鋼）に対して２２０度で傾斜した直径１９ｍｍの研磨ボール（ＳＡＥ  ＡＩＳＩ  ５２１００鋼）を含んで構成されているＰＣＳ  Ｉｎｓｔｒｕｍｅｎｔｓ社製ＭＴＭトラクション測定システムを用いて測定することができる。鋼製ボール及びディスクは、３ｍ／ｓの平均転がり速度、４０％の摺動対転がり比（ｓｌｉｄｅ  ｔｏ  ｒｏｌｌ  ｒａｔｉｏ）、及び２０Ｎの負荷で独立して測定される。転がり比（ｒｏｌｌ  ｒａｔｉｏ）は、ボール及びディスク間の摺動速度の差をボール及びディスクの平均速度で割ったもの、すなわち、転がり比＝（速度１−速度２）／（（速度１＋速度２）／２）として定義される。いくつかの実施形態において、基油留分は、１５ｍｍ２／ｓの動粘度及び４０％の摺動対転がり比で測定されるとき、０．０２３未満、０．０２１以下、又は０．０１９以下のトラクション係数を有する。一実施形態において、これらは、式：トラクション係数＝０．００９×Ｌｎ（動粘度）−０．００１によって定義される量未満のトラクション係数であり、ここで、トラクション係数測定中の動粘度は２〜５０ｍｍ２／ｓの間であり；トラクション係数は、３ｍ／ｓの平均転がり速度、４０％の摺動対転がり比、及び２０Ｎの負荷で測定される。
【００３６】
一実施形態において、基油留分は、１５ｍｍ２／ｓの動粘度及び４０％の摺動対転がり比で測定されるとき、０．０１５未満又は０．０１１未満のトラクション係数を有する。低トラクション係数を有するこれらの基油留分の例として、米国特許第７，０４５，０５５号並びに米国特許出願第１１／４００５７０号及び同第１１／３９９７７３号（両方とも２００６年４月７日に出願）に教示されている。一実施形態において、基油は、０．０１５未満のトラクション係数、及び５６５℃（１０５０°Ｆ）超の５０重量％沸点を有する。別の実施形態において、基油は、０．０１１未満のトラクション係数、及び５８２℃（１０８０°Ｆ）超のＡＳＴＭ  Ｄ６３５２−０４による５０重量％沸点を有する。
【００３７】
いくつかの実施形態において、低トラクション係数を有する異性化基油はまた、２３．４以下の分枝指数（ｂｒａｎｃｈｉｎｇ  ｉｎｄｅｘ）、２２．０以上の分枝近接度（ｂｒａｎｃｈｉｎｇ  ｐｒｏｘｉｍｉｔｙ）、及び９〜３０の間の遊離炭素指数（Ｆｒｅｅ  Ｃａｒｂｏｎ  Ｉｎｄｅｘ）を含めたＮＭＲによる特有の分枝特性を示す。ＡＳＴＭ  Ｄ３２３８−９５（再承認２００５年）によるｎ−ｄ−Ｍ分析によって、一実施形態において、基油は、少なくとも４重量％のナフタレン炭素を有し、別の実施形態において、少なくとも５重量％のナフタレン炭素を有する。低トラクション係数を有する基油留分を含んでなる２サイクルガソリンエンジン潤滑油は、低減されたエンジン摩耗を与える。
【００３８】
いくつかの実施形態において、潤滑油の潤滑油基油留分中のオレフィン及び芳香族化合物含量はかなり低く、選択された基油留分のオキシデータＢＮ（Ｏｘｉｄａｔｏｒ  ＢＮ）は、２５時間超、例えば３５時間超、又は更に４０時間超であり得る。選択された基油留分のオキシデータＢＮは、典型的には７０時間未満であり得る。オキシデータＢＮは、基油の酸化安定性を測定するための常套手段である。オキシデータＢＮ試験は、Ｓｔａｎｇｅｌａｎｄらによる米国特許第３，８５２，２０７号に記載されている。オキシデータＢＮ試験は、Ｄｏｒｎｔｅ型酸素吸収装置によって酸化抵抗性を測定する。Ｒ．Ｗ．Ｄｏｒｎｔｅ「ホワイトオイルの酸化（Ｏｘｉｄａｔｉｏｎ  ｏｆ  Ｗｈｉｔｅ  Ｏｉｌｓ）」Ｉｎｄｕｓｔｒｉａｌ  ａｎｄ  Ｅｎｇｉｎｅｅｒｉｎｇ  Ｃｈｅｍｉｓｔｒｙ、第２８巻、２６頁、１９３６年を参照のこと。通常、条件は３４０°Ｆで１気圧の純粋酸素である。結果は、１００ｇの油が１０００ｍｌのＯ２を吸収するのに要する時間で報告される。オキシデータＢＮ試験において、油１００グラムあたり０．８ｍｌの触媒が使用され、添加剤パッケージは油中に含まれる。触媒は、ケロセン溶解性金属ナフテン酸塩の混合物である。溶解性金属ナフテン酸塩の混合物は、用いられるクランクケース油の平均金属分析をシミュレートする。触媒中の金属レベルは以下の通りである：銅＝６，９２７ｐｐｍ；鉄＝４，０８３ｐｐｍ；鉛＝８０，２０８ｐｐｍ；マンガン＝３５０ｐｐｍ；スズ＝３５６５ｐｐｍ。添加剤パッケージは、油１００グラムあたり８０ミリモルのビスポリプロピレンフェニルジチオ−リン酸亜鉛、又は約１．１グラムのＯＬＯＡ（商標）２６０である。オキシデータＢＮ試験は、シミュレートされる用途における潤滑油基油の応答を測定する。１リットルの酸素を吸収するための高い値、即ち長い時間は良好な酸化安定性を示す。良好な酸化安定性を有する基油留分を含む２サイクルガソリンエンジン潤滑油はまた、改良された酸化安定性も有し得る。
【００３９】
ＯＬＯＡ（商標）は、Ｃｈｅｖｒｏｎ  Ｏｒｏｎｉｔｅの登録商標であるＯｒｏｎｉｔｅ潤滑油添加剤（Ｌｕｂｒｉｃａｔｉｎｇ  Ｏｉｌ  Ａｄｄｉｔｉｖｅ）の頭字語である。
【００４０】
いくつかの実施形態において、１つ又は複数の潤滑油基油留分は優れた生分解性を有し得る。好適な水素化処理（ｈｙｄｒｏ−ｐｒｏｃｅｓｓｉｎｇ）及び／又は吸着剤処理について、これらは、ＯＥＣＤ３０１Ｂ振とうフラスコ試験（Ｍｏｄｉｆｉｅｄ  Ｓｔｕｒｍ  Ｔｅｓｔ）により易生分解性である。易生分解性基油留分が、選択された低灰分又は無灰添加剤などの好適な生分解性添加剤とブレンドされるとき、潤滑油は、最小の非生分解性残渣を有する感受性領域において流出物の迅速な生分解性を与え、費用がかかる環境清浄を防止する。
【００４１】
いくつかの実施形態において、１つ又は複数の潤滑油基油留分は低ノアック揮発度を有する。ノアック揮発度は、通常、ＡＳＴＭ  Ｄ５８００−０５の手順Ｂにしたがって試験される。一実施形態において、１つ又は複数の潤滑油基油留分は、１００重量％未満のノアック揮発度を有する。基油のノアック揮発度は、一般に、動粘度が減少するにしたがって増大する。ノアック揮発度が低下するにしたがって、使用時の基油及び製油の揮発傾向が低下する。
【００４２】
基油の「ノアック揮発度因子」（“Ｎｏａｃｋ  Ｖｏｌａｔｉｌｉｔｙ  Ｆａｃｔｏｒ”）は、基油の動粘度から誘導される経験的な数である。高パラフィン系ワックスから誘導される基油のノアック揮発度は非常に低く、一実施形態において、式：ノアック揮発度因子（１）＝１６０−４０（１００℃における動粘度）によって計算される量未満である。米国特許出願公開第２００６／０２０１８５２Ａ１号において与えられる式（１）は、１．５〜４．０ｍｍ２／ｓの間の動粘度について０〜１００の間のノアック揮発度因子を与える。図１は、式（１）によるノアック揮発度因子のグラフである。第２の実施形態において、１つ又は複数の潤滑油基油留分のノアック揮発度は、式：ノアック揮発度因子（２）＝（９００×（１００℃における動粘度）−２．８）−１５によって計算される量未満である。米国特許出願第１１／６１３，９３６号において与えられる式（２）は、２．０９〜４．３ｍｍ２／ｓの間の動粘度について０〜１００の間のノアック揮発度因子を与える。図１はまた、式（２）によるノアック揮発度因子も含む。２．４〜３．８ｍｍ２／ｓの範囲内の動粘度について、式（２）は、式（１）が与えるよりも低いノアック揮発度因子を与える。２．４〜３．８ｍｍ２／ｓの動粘度を有する基油の範囲内でのより低いノアック揮発度因子は、特に基油がより高いノアック揮発度を有し得る他の油とブレンドされるときに望ましい。
【００４３】
付加的な基油が約１．０重量％〜約２０重量％の量で潤滑油組成物に包含されてよい。これらの付加的な基油の例として、エステル、エステルの混合物、及び米国特許第６，１９７，７３１号に記載されている複合エステル；ポリアルファオレフィン、ポリ内部オレフィン、ポリイソブテン、アルキル化ナフタレンなどのアルキル化芳香族化合物、並びに従来の石油由来ＡＰＩグループＩＩ及びグループＩＩＩ鉱油が挙げられる。
【００４４】
流動点低下ブレンド成分：
２サイクルガソリンエンジン潤滑油は、流動点低下ブレンド成分を含んでよい。本明細書において使用されるとき、「流動点低下ブレンド成分」は、比較的高い分子量及び分子中に特定のアルキル分枝度を有する異性化ワックス生成物をいい、当該成分を含む潤滑油基油ブレンドの流動点を低下させる。流動点低下ブレンド成分の例は、米国特許第６，１５０，５７７号及び同第７，０５３，２５４号、並びに米国特許公開第２００５０２４７６００Ａ１号に開示されている。流動点低下ブレンド成分は、１）異性化フィッシャー−トロプシュ由来ボトム生成物；２）異性化高ろう状鉱油から調製されるボトム生成物、又は３）１００℃において少なくとも約８ｍｍ２／ｓの動粘度を有する、ポリエチレンプラスチックから製造される異性化油であり得る。
【００４５】
一実施形態において、流動点低下ブレンド成分は、６００〜１１００の間の平均分子量及び分子内に炭素原子１００あたり６．５〜１０アルキル分枝の平均分枝度（ｄｅｇｒｅｅ  ｏｆ  ｂｒａｎｃｈｉｎｇ）を有する異性化フィッシャー−トロプシュ由来真空蒸留ボトム生成物である。一般に、より高い分子量の炭化水素は、より低い分子量の炭化水素よりも流動点低下ブレンド成分としてより有効である。一実施形態において、結果としてより高い沸点の塔底物質をもたらす真空蒸留ユニット中のより高いカットポイント（ｃｕｔ  ｐｏｉｎｔ）を用いて、流動点低下ブレンド成分を調製する。より高いカットポイントはまた、留出物である基油留分のより高い収率をもたらすという利点も有する。一実施形態において、流動点低下ブレンド成分は、ブレンドされる留出物基油の流動点よりも少なくとも３℃高い流動点を有する異性化フィッシャー−トロプシュ由来真空蒸留ボトム生成物である。
【００４６】
一実施形態において、真空蒸留ボトム生成物である流動点低下ブレンド成分の沸点範囲の１０パーセント点は、約８５０°Ｆ〜１０５０°Ｆ（４５４〜５６５℃）の間である。別の実施形態において、流動点低下ブレンド成分は、９５０°Ｆ（５１０℃）を超える沸騰範囲を有するフィッシャー−トロプシュ生成物又は石油生成物のいずれかから誘導され、少なくとも５０重量パーセントのパラフィンを含有する。なお別の実施形態において、流動点低下ブレンド成分は、１０５０°Ｆ（５６５℃）を超える沸騰範囲を有する。
【００４７】
別の実施形態において、流動点低下ブレンド成分は、約１０５０°Ｆを超える沸騰範囲を有する物質を含有する異性化石油由来基油である。一実施形態において、異性化塔底物質は、流動点低下ブレンド成分として用いられる前に溶媒脱ろうされる。溶媒脱ろうの間に流動点低下ブレンド成分から更に分離されるワックス生成物は、溶媒脱ろう後に回収される油生成物と比較して優れた改良された流動点降下特性を示すことがわかった。
【００４８】
別の実施形態において、流動点低下ブレンド成分は、１００℃において少なくとも約８ｍｍ２／ｓの動粘度を有する、ポリエチレンプラスチックから製造される異性化油である。一実施形態において、流動点低下ブレンド成分は、廃プラスチックから製造される。別の実施形態において、流動点低下ブレンド成分は、ポリエチレンプラスチックの熱分解、重質分の分離、重質分の水素処理、水素処理された重質分の触媒異性化、及び１００℃において少なくとも約８ｍｍ２／ｓの動粘度を有する流動点低下ブレンド成分の収集を含む工程から製造される。第３実施形態において、それは、ポリエチレンプラスチックから誘導され、１０５０°Ｆ（５６５℃）を超える沸騰範囲、又は更には１２００°Ｆ（６４９℃）を超える沸騰範囲を有する。
【００４９】
一実施形態において、流動点低下ブレンド成分は、炭素原子１００あたり６．５〜１０アルキル分枝の範囲内の分子内平均分枝度を有する。別の実施形態において、流動点低下ブレンド成分は、６００〜１１００の間の平均分子量を有する。第３実施形態において、それは、７００〜１１００の間の平均分子量を有する。一実施形態において、流動点低下ブレンド成分は、１００℃において８〜３０ｍｍ２／ｓの動粘度を有し、沸騰範囲の１０％点が約８５０〜１０５０°Ｆの間で下がる。なお別の実施形態において、流動点低下ブレンド成分は、１００℃において１５〜２０ｍｍ２／ｓの動粘度及び−８〜−１２℃の流動点を有する。
【００５０】
一実施形態において、流動点低下ブレンド成分は、１００℃において少なくとも約８ｍｍ２／ｓの動粘度を有し、ポリエチレンプラスチックから製造される異性化油である。一実施形態において、流動点低下ブレンド成分は、廃プラスチックから製造される。別の実施形態において、流動点低下ブレンド成分は、ポリエチレンプラスチックの熱分解、重質分の分離、重質分の水素処理、水素処理された重質分の触媒異性化、及び１００℃において少なくとも約８ｍｍ２／ｓの動粘度を有する流動点低下ブレンド成分の収集を含む工程から製造される。第３実施形態において、ポリエチレンプラスチックから誘導される流動点低下ブレンド成分は、１０５０°Ｆ（５６５℃）超の沸騰範囲、又は更には１２００°Ｆ（６４９℃）超の沸騰範囲を有する。
【００５１】
添加剤及び添加剤パッケージ：
種々の清浄剤／分散剤添加剤パッケージは、２サイクル油ガソリンエンジン潤滑油の配合において基油と組み合わされてよい。無灰、低灰分、又は灰分含有添加剤はこの目的で用いられてよい。
【００５２】
好適な無灰添加剤として、ポリアミド、アルケニルスクシンイミド、ホウ酸変性アルケニルスクシンイミド、フェノールアミン及びコハク酸エステル誘導体又は任意の２以上のこのような添加剤の組合せが挙げられる。
【００５３】
低灰分添加剤パッケージの例は、（ｉ）潤滑油中、０．２〜５重量％の量で存在するポリブテニル（Ｍｎ４００〜２５００）コハク酸イミド、又は別の油溶性の、アシル化された窒素含有潤滑油分散剤、及び（ｉｉ）金属フェノラート、硫酸塩、又はサリチル酸エステル油溶性清浄添加剤を含む。一実施形態において、油溶性清浄添加剤は、潤滑油中に０．１〜２重量％の量で存在する全塩基価（Ｔｏｔａｌ  Ｂａｓｅ  Ｎｕｍｂｅｒ）２００以下の中性金属清浄剤又は過塩基性金属清浄剤である。この実施形態において、金属は、カルシウム、バリウム又はマグネシウムである。中性サリチル酸カルシウムは一例であり、潤滑油中に約０．５〜１．５重量％の量で存在してよい。
【００５４】
一般に用いられるイソステアリン酸テトラエチレンペンタミンなどのポリアミド清浄剤／分散剤添加剤は、その全体が、完全に本明細書に記載されているかのように、本明細書において参照により組み入れられる米国特許第３，１６９，９８０号に記載されているように、脂肪酸とポリアルキレンポリアミンとの反応によって調製されてよい。これらのポリアミドは、高温での連続加熱の際に直鎖ポリアミドの内部縮合によって形成される、測定可能な量の環状イミダゾリンを含んでよい。別の有用なクラスのポリアミド添加剤は、ポリアルキレンポリアミン及びＣ１９〜Ｃ２５のコッホ酸から、Ｒ．Ｈａｒｔｌｅら、ＪＡＯＣＳ、５７（５）：１５６〜５９頁（１９８０年）の手順によって調製される。
【００５５】
アルケニルスクシンイミドは、ポリブテン（ＭＶ１２００）などのオレフィンが無水マレイン酸と反応してポリブテニル無水コハク酸付加物が得られ、次いでアミン、例えば、アルキルアミン又はポリアミンと反応して、所望の生成物が形成される段階的な手順によって形成される。
【００５６】
フェノールアミンは、ポリアルキレン置換フェノール、ホルムアルデヒド及びポリアルキレンポリアミンが関与する周知のマンニッヒ反応（Ｃ．Ｍａｎｎｉｃｈ及びＷ．Ｋｒｏｓｃｈｅ、Ａｒｃｈ．Ｐｈａｒｍ．、２５０：６７４頁（１９１２年））によって調製される。
【００５７】
コハク酸エステル誘導体は、オレフィン（例えば、ポリブテン）と無水マレイン酸との反応によりポリブテニル無水コハク酸付加物が得られ、ポリオール、例えばペンタエリスリトールとの反応を更に経て所望の生成物が与えられることによって調製される。
【００５８】
好適な灰分含有清浄剤／分散剤添加剤として、アルカリ土類金属（例えば、マグネシウム、カルシウム、バリウム）、硫酸塩、リン酸塩若しくはフェノラート、又は任意の２以上のこのような添加剤の組合せが挙げられる。
【００５９】
上記の清浄剤／分散剤添加剤は、本明細書に記載の潤滑油組成物に、組成物の全重量を基準にして約１〜約２５重量％、及びより好ましくは約３〜約２０重量％の量で包含されてよい。
【００６０】
市販の２サイクル潤滑油清浄剤／分散剤添加剤パッケージを基油と併用して、２サイクルガソリンエンジン潤滑油、例えば、ＬＵＢＲＩＺＯＬ４００、ＬＵＢＲＩＺＯＬ６８２７、ＬＵＢＲＩＺＯＬ６８３０、ＬＵＢＲＩＺＯＬ６００、ＬＵＢＲＩＺＯＬ６０６、ＯＲＯＮＩＴＥ  ＯＬＯＡ（登録商標）９３３３、ＯＲＯＮＩＴＥ  ＯＬＯＡ（登録商標）３４０Ａ、ＯＲＯＮＩＴＥ  ＯＬＯＡ（登録商標）６７２１及びＯＲＯＮＩＴＥ  ＯＬＯＡ（登録商標）９３５７を生成することができる。
【００６１】
種々の他の添加剤は、所望により、２サイクルガソリンエンジン潤滑油に包含されてよい。これらの例として、煙抑制剤、例えばポリブテン又はポリイソブテン（ＰＩＢ）、極圧添加剤、例えばジアルキルジチオリン酸塩又はエステル、消泡剤、例えばシリコーン油、流動点降下剤、防錆又は腐食防止剤、例えばトリアゾール誘導体、没食子酸プロピル又はアルカリ金属フェノラート若しくは硫酸塩、酸化抑制剤、例えば置換ジアリールアミン、フェノチアジン、ヒンダードフェノールなどが挙げられる。これらの添加剤のいくらかは、消泡剤並びに流動点降下剤として機能し得るポリメタクリレートなど多官能性であってよい。流動点降下剤は、用いられるとき、全潤滑油を基準にして０．００５〜０．１重量％の間の量で用いられる。流動点降下剤の例は、ポリメタクリレート（ＰＭＡ）；ポリアクリレート；ポリアクリルアミド；ハロパラフィンワックス及び芳香族化合物の縮合生成物；ビニルカルボキシレートポリマー；ジアルキルフマル酸エステル、脂肪酸のビニルエステル、及びアルキルビニルエーテルのターポリマー；並びにこれらの混合物である。
【００６２】
一実施形態において、煙抑制剤は、ポリブテン、ポリイソブテン、並びにポリブテン及びポリイソブテンの混合物からなる群から選択されるオレフィン性不飽和ポリマーであり、４００〜２２００の数平均分子量及びポリマー中の二重結合の総数を基準にして少なくとも６０ｍｏｌ％の末端ビニリデン含量を有する。これらのタイプの煙抑制剤は、ＥＰ１７４３９３２Ａ２に教示されている。これらの煙抑制剤の市販例は、ＢＡＳＦ  Ｃｏｒｐｏｒａｔｉｏｎ製のＧＬＩＳＳＯＰＡＬ（登録商標）１０００である。
【００６３】
揮発性、可燃性の高フラッシュ炭化水素溶媒、例えばケロセン、Ｅｘｘｓｏｌ  Ｄ８０、又はＳｔｏｄｄａｒｄ溶媒を添加剤として用いることもできる。Ｅｘｘｓｏｌ  Ｄ８０は、少なくとも２００℃の初期沸点、約２８（２０〜４０の間）のカウリ−ブタノール値（Ｋａｕｒｉ−Ｂｕｔａｎｏｌ  Ｖａｌｕｅ）、及び７３．９〜７９．４℃のアニリン点を有する脱芳香族化脂肪族高フラッシュ溶媒である。揮発性、可燃性の高フラッシュ炭化水素溶媒を２サイクルエンジン潤滑油に全潤滑油の５重量％未満の量で添加して、ＪＡＳＯ  Ｍ３４２〜９２試験において煙指数を少なくとも７５の値にし、並びに／又は他の添加剤の相溶性及び／若しくは溶解性を改良し且つ粘度及びガソリン混和性などの低温特性を改良してよい。一実施形態において、２サイクルガソリンエンジン潤滑油は、低レベル、例えば全潤滑油の約５重量％未満、約２重量％未満の溶媒を含み、又は更には本質的に含まず、２５０℃未満の最高沸点を有する炭化水素溶媒である。２サイクルガソリンエンジン潤滑油中の低レベルの溶媒は、揮発性有機分の蒸発による汚染の低減、パッケージング及び輸送に用いられるエラストマーとの改良された相溶性、並びに輸送及び貯蔵安全性の向上のための可燃性危険物の低減を提供する。
【００６４】
ほとんどの上記添加剤は、潤滑油組成物の全重量を基準にして約０．００５％〜約１５％、又は約０．００５％〜約６％の量で潤滑油組成物に包含されてよい。ポリブテン又はポリイソブテンの場合には、当該量は１％〜５０％で変動してよい。特定の範囲内で選択される各添加剤又は添加剤パッケージの量は、潤滑油の所望の性能特性に悪影響を及ぼさないようにするべきである。このような添加剤によってもたらされる効果は、日常的な試験によって容易に決定され得る。
【００６５】
或いは、潤滑油は：
ａ．以下を有する、全潤滑油を基準にして２０〜７０重量％の間の１つ又は複数の基油留分：
ｉ．連続する数の炭素原子；
ｉｉ．１００℃において約１．５〜約３．５ｍｍ２／ｓの間の動粘度；
ｉｉｉ．約９０重量％〜約９７重量％の間のパラフィン炭素；
ｉｖ．約３重量％〜約１０重量％のナフタレン炭素；及び
ｖ．０．０１重量％未満の芳香族炭素；
ｂ．全潤滑油を基準にして０．５〜２５重量％の流動点低下ブレンド成分；
ｃ．全潤滑油を基準にして約５重量％未満の、２５０℃未満の最高沸点を有する炭化水素溶媒；
ｄ．全潤滑油を基準にして約１重量％〜約２５重量％の清浄剤／分散剤添加剤パッケージ；
ｅ．全潤滑油を基準にして約１重量％〜約５０重量％の煙抑制剤；並びに
ｆ．全潤滑油を基準にして０．１重量％未満の流動点降下剤；
からなり、又は本質的にそれらからなり、１００℃において６．５ｍｍ２／ｓ以上のブレンド動粘度、−２５℃において良好な低温流動性、及び６５を超える排気煙指数（ｅｘｈａｕｓｔ  ｓｍｏｋｅ  ｉｎｄｅｘ）を有する。
【００６６】
２サイクルガソリンエンジン潤滑油は、これらが含む低レベルの溶媒に起因した高引火点を有する。これらの引火点は、いくつかの実施形態において、１２０℃超、又は１５０℃超である。
【００６７】
具体的な分析試験方法：
ワックス含有サンプル中のノルマルパラフィン重量％：
ワックス含有サンプル中のノルマルパラフィンの定量分析は、ガスクロマトグラフィ（ＧＣ）によって決定される。ＧＣ（キャピラリースプリット／スプリットレス注入口及び水素炎イオン化検出器を有するＡｇｉｌｅｎｔ６８９０又は５８９０）は、水素炎イオン化検出器を備え、炭化水素に対して高感度である。この方法は、メチルシリコーンキャピラリーカラムを利用し、沸点によって炭化水素混合物を分離するのに日常的に使用される。カラムは、溶融シリカ、１００％メチルシリコーン、長さ３０メートル、内径０．２５ｍｍ、膜厚０．１ミクロンであり、Ａｇｉｌｅｎｔによって供給される。ヘリウムはキャリアガス（２ｍｌ／ｍｉｎ）であり、水素及び空気は炎に対する燃料として使用される。
【００６８】
ワックス供給物を融解させて０．１ｇの均質なサンプルを得る。サンプルは、二硫化炭素に直ちに溶解されて２重量％の溶液を与える。必要に応じて、視覚的に透明且つ固体を有していないようになるまで溶液を加熱し、次いでＧＣに注入する。メチルシリコーンカラムを、以下の温度プログラムを用いて加熱する：
初期温度：１５０℃（Ｃ７〜Ｃ１５の炭化水素が存在するとき、初期温度は５０℃である。）
ランプ：６℃／分
最終温度：４００℃
最終保持：５分又はピークが溶出されなくなるまで
【００６９】
カラムは、次いでノルマルパラフィンを非−ノルマルパラフィンから炭素数増加順に効果的に分離する。公知の参照標準を同様に分析して特定のノルマル−パラフィンのピークの溶出時間を確立する。当該標準はＡＳＴＭ  Ｄ２８８７  ｎ−パラフィン標準であり、ベンダー（Ａｇｉｌｅｎｔ又はＳｕｐｅｌｃｏ）から購入され、５重量％のポリワックス５００ポリエチレン（Ｏｋｌａｈｏｍａ州Ｐｅｔｒｏｌｉｔｅ社から購入）と混ぜられる。当該標準は、注入前に融解される。参照標準の分析から収集した履歴データは、キャピラリーカラムの分離効率も保証する。
【００７０】
サンプル中に存在するとき、ノルマルパラフィンのピークは、よく分離され、サンプル中に存在する他の炭化水素ピークから容易に同定可能である。ノルマルパラフィンの保持時間外で溶出するこれらのピークは、非−ノルマルパラフィンと呼ばれる。全サンプルは、ランの開始から終了までベースラインホールド（ｂａｓｅｌｉｎｅ  ｈｏｌｄ）を用いて積分される。ｎ−パラフィンは全エリアからスキムされ、谷間から谷間まで積分される。検出された全てのピークは１００％に正規化される。ＥＺＣｈｒｏｍはピークの同定及び結果の計算に使用される。
【００７１】
オレフィン重量％：
基油中のオレフィン重量％は、以下の工程Ａ〜ＤによりプロトンＮＭＲによって決定される：
Ａ．５〜１０％の試験炭化水素の重クロロホルム（ｄｅｕｔｅｒｏｃｈｌｏｒｏｆｏｒｍ）溶液を調製する。
Ｂ．少なくとも１２ｐｐｍのスペクトル幅の正常プロトンスペクトルを取得し、化学シフト（ｐｐｍ）軸を正確に参照する。装置は、レシーバ／ＡＤＣを過負荷にせずに信号を取得するために十分なゲイン幅を有さなければならない。３０度パルスが適用される場合、装置は６５，０００の最小の信号デジタル化動的範囲を有さなければならない。好ましくは、動的範囲は２６０，０００以上である。
Ｃ．以下の間の積分強度を測定する：
６．０〜４．５ｐｐｍ（オレフィン）
２．２〜１．９ｐｐｍ（アリル）
１．９〜０．５ｐｐｍ（飽和）
Ｄ．ＡＳＴＭ  Ｄ  ２５０３で決定される試験物質の分子量を使用して：
１．飽和炭化水素の平均分子式
２．オレフィンの平均分子式
３．合計積分強度（＝全積分強度の合計）
４．サンプル水素あたりの積分強度（＝合計積分／式中の水素の数）
５．オレフィン水素の数（＝オレフィン積分／水素あたりの積分）
６．二重結合の数（＝オレフィン水素×オレフィン式中の水素／２）
７．プロトンＮＭＲによるオレフィン重量％＝１００×二重結合の数×典型的なオレフィン分子中の水素の数／典型的な試験物質分子中の水素の数
を計算する。
【００７２】
プロトンＮＭＲ計算手順Ｄによるオレフィン重量％は、オレフィン％の結果が低く、約１５重量％未満である場合に最も役に立つ。オレフィンは、「従来の」オレフィン、即ち、二重結合炭素へ結合した水素を有するオレフィンタイプ、例えば、アルファ、ビニリデン、シス、トランス、及び３置換されたオレフィンタイプの分散した混合物でなければならない。これらのオレフィンタイプは、検出可能な、１〜約２．５のアリル対オレフィン積分比を有する。この比が３を超える場合、より高い割合のトリ又はテトラ置換オレフィンが存在すること、及び、サンプル中の二重結合の数を計算するために別の仮定がなされなければならないことを示す。
【００７３】
ＨＰＬＣ−ＵＶによる芳香族測定：
潤滑油基油中に少なくとも１つの芳香族官能基を有する低レベルの分子を測定するために使用される方法は、ＨＰ  Ｃｈｅｍ−ｓｔａｔｉｏｎに接続されたＨＰ  １０５０  Ｄｉｏｄｅ−Ａｒｒａｙ  ＵＶ−Ｖｉｓ検出器に連結されたＨｅｗｌｅｔｔ  Ｐａｃｋａｒｄ  １０５０シリーズの４勾配高速液体クロマトグラフィ（ＨＰＬＣ）システムを使用する。高飽和基油中の個々の芳香族類の同定は、これらのＵＶスペクトルパターン及びこれらの溶出時間に基づいて行った。この分析に使用されるアミノカラムは、主にこれらの環数（又は、更に正確には、二重結合の数）に基づいて芳香族分子を識別する。したがって、単環式芳香族含有分子が最初に溶出し、続いて多環式芳香族が分子あたりの二重結合数の増加順序で溶出する。類似の二重結合性を有する芳香族では、環上にアルキル置換のみを有する芳香族が、ナフテン系置換を有する芳香族よりも早く溶出する。
【００７４】
これらのＵＶ吸収スペクトルからの種々の基油芳香族炭化水素の明確な同定は、これらのピーク電子遷移が、環系のアルキル及びナフテン系置換の量に応じた程度まで、純粋なモデル化合物類似体に対してすべて赤色シフトしたことを認識して行った。これらの深色シフトが、芳香族環のπ−電子のアルキル基非局在化によって引き起されることはよく知られている。わずかの非置換芳香族化合物は潤滑油範囲で沸騰するので、ある程度の赤色シフトが期待され、同定された主たる芳香族基のすべてについて観察された。
【００７５】
溶出する芳香族化合物の定量化は、その芳香族についての適切な保持時間枠にわたって化合物のそれぞれの一般分類に対して最適化された波長から作製されたクロマトグラムを積分することにより行われた。各芳香族類に対する保持時間枠限界は、溶出化合物の個々の吸収スペクトルを異なる時間において手動で評価し、これらを適切な芳香族類へモデル化合物吸収スペクトルに対するこれらの質的類似性を基準にして割り当てることにより決定された。わずかな例外を除いて、５つの類の芳香族化合物のみが、高度に飽和したＡＰＩグループＩＩ及びＩＩＩ潤滑油基油において観察された。
【００７６】
ＨＰＬＣ−ＵＶ較正：
ＨＰＬＣ−ＵＶは、これらの類の芳香族化合物を非常に低いレベルにおいても同定するために使用される。多環芳香族は、一般に、単環芳香族よりも１０〜２００倍強く吸収する。アルキル置換もまた、約２０％分、吸収に影響を及ぼした。したがって、ＨＰＬＣを使用して、種々の類の芳香族を分離及び同定すること、並びにこれらがどのぐらい効果的に吸収するかを知ることが重要である。
【００７７】
５つの類の芳香族化合物が同定された。最も多く保持されたアルキル−１−環芳香族ナフテンと最も少なく保持されたアルキルナフタレンとの間の少しの重複の例外を除いて、すべての芳香族化合物類はベースライン分離された。２７２ｎｍにおける同時溶出１−環及び２−環芳香族に対する積分限界は垂直落下法で設けられた。それぞれの一般的な芳香族類に対する波長依存性応答因子は、初めに、置換芳香族類似体に最も近いスペクトルピーク吸収を基準として純粋なモデル化合物混合物からベールの法則（Ｂｅｅｒ’ｓ  Ｌａｗ）プロットを作図することにより決定された。
【００７８】
例えば、基油中のアルキル−シクロヘキシルベンゼン分子は、非置換テトラリンモデル化合物が２６８ｎｍにおいて吸収する同じ（禁制）遷移に相当する２７２ｎｍにおける明確なピーク吸収を示す。基油サンプル中のアルキル−１−環芳香族ナフテンの濃度は、２７２ｎｍにおけるそのモル吸収率応答因子が、ベールの法則プロットから計算された、２６８ｎｍにおけるテトラリンのモル吸収率にほぼ等しいものと仮定して計算された。芳香族の重量パーセント濃度は、各芳香族類の平均分子量が、全体の基油サンプルの平均分子量にほぼ等しいものと仮定して計算された。
【００７９】
この較正方法は、精緻なＨＰＬＣクロマトグラフィにより潤滑油基油から直接１−環芳香族を単離することにより更に改良された。これらの芳香族による直接の較正は、モデル化合物に関連する仮定及び不確実性を排除した。予測通り、単離された芳香族サンプルは、更に高度に置換されていたので、モデル化合物よりも低い応答因子を有した。
【００８０】
より具体的には、ＨＰＬＣ−ＵＶ法を正確に較正するために、置換ベンゼン芳香族を、Ｗａｔｅｒｓ半分取（ｓｅｍｉ−ｐｒｅｐａｒａｔｉｖｅ）ＨＰＬＣ装置を使用して大量の潤滑油基油から分離した。１０ｇのサンプルをｎ−ヘキサン中で１：１に希釈し、Ｒａｉｎｉｎ  Ｉｎｓｔｒｕｍｅｎｔｓ（Ｃａｌｉｆｏｒｎｉａ州Ｅｍｅｒｙｖｉｌｌｅ）製のアミノ結合シリカカラム、５ｃｍ×２２．４ｍｍ  ＩＤ  ｇｕａｒｄへ、次いで、８〜１２ミクロンのアミノ−結合シリカ粒子の２つの２５ｃｍ×２２．４ｍｍ  ＩＤカラムへ、１８ｍｌ／分の流量で移動相のｎ−ヘキサンと一緒に注入した。カラム溶出液は、２６５ｎｍ及び２９５ｎｍに設定した二波長ＵＶ検出器からの検出器応答に基づいて分別した。単環芳香族の溶出の始まりの合図である、２６５ｎｍ吸収が０．０１吸収単位の変化を示すまで飽和画分を集めた。２環芳香族溶出の始まりを示す２６５ｎｍ及び２９５ｎｍ間の吸収比が２．０に減少するまで単環芳香族画分を集めた。単環芳香族画分の精製及び分離は、ＨＰＬＣカラムの過負荷から得られた「後部」（“ｔａｉｌｉｎｇ”）飽和画分から離れたモノ芳香族画分を再度クロマトグラフにかけることで行った。
【００８１】
この精製された芳香族「標準」は、アルキル置換が非置換テトラリンに関して約２０％分モル吸収率応答因子を減少させたことを示した。
【００８２】
ＮＭＲによる芳香族の確認：
精製されたモノ芳香族標準中の少なくとも１つの芳香族官能基を有するすべての分子の重量パーセントは、長期炭素１３ＮＭＲ分析により確認された。ＮＭＲは、単純に芳香族炭素を測定し、応答が、分析される芳香族の類に依存しないため、ＨＰＬＣ−ＵＶよりも較正が容易であった。ＮＭＲ結果は、高飽和潤滑油基油中の芳香族の９５〜９９％が単環芳香族であるということを知ることにより、％芳香族炭素から％芳香族分子（ＨＰＬＣ−ＵＶ及びＤ２００７と一致）へ変換された。
【００８３】
高出力、長期、及び良好なベースライン分析は、０．２％の芳香族分子に至るまで芳香族を正確に測定するのに必要とされた。
【００８４】
より具体的には、少なくとも１つの芳香族官能基を有する低レベルのすべての分子をＮＭＲによって正確に測定するために、標準Ｄ５２９２−９９方法は、５００：１の最小炭素感度を与えるために改変された（ＡＳＴＭ標準手順Ｅ３８６による）。１０〜１２ｍｍのＮａｌｏｒａｃプローブによって４００〜５００ＭＨｚ  ＮＭＲにおける１５時間持続ランが使用された。Ａｃｏｒｎ  ＰＣ集積ソフトウェアは、ベースラインの形状を定義し、一貫して集積するために使用された。搬送周波数は、アーチファクト（ａｒｔｉｆａｃｔｓ）が脂肪族ピークを芳香族領域内に画像化させるのを回避するために、当該ラン中に一度変更された。搬送スペクトルのいずれかの側でスペクトルを取ることにより、解像度が著しく改良された。
【実施例】
【００８５】
（例１）
全てＣｏ系フィッシャー−トロプシュ触媒を用いて作製された、水素処理されたフィッシャー−トロプシュワックスの数種類のバッチから構成されるワックスサンプルを調製した。当該ワックスサンプルを構成する種々のバッチのワックスを分析し、全てが表ＩＩに示す特性を有することが分かった。
表ＩＩ：フィッシャー−トロプシュワックス
【表２】
2010538116.tif 000004
【００８６】
Ｃｏ系フィッシャー−トロプシュワックスを、アルミナ結合剤を含むＰｔ／ＳＡＰＯ−１１触媒によって水素異性化した。操作条件は、６３５°Ｆ〜６７５°Ｆ（３３５℃〜３５８℃）の間の温度、１．０／時間のＬＨＳＶ、約５００ｐｓｉｇの反応器圧力、及び５〜６ＭＳＣＦ／ｂｂｌの間の貫流水素量を含んだ。シリカ−アルミナ担持Ｐｄ水素化仕上げ触媒を含む第２反応器に直接通される反応器流出物もまた、５００ｐｓｉｇで操作した。第２反応器での条件は、約３５０°Ｆ（１７７℃）の温度及び２．０／時間のＬＨＳＶを含んだ。
【００８７】
６５０°Ｆより上で沸騰する生成物を真空蒸留によって分別して、異なる粘度等級の留出物留分を生成した。３つのフィッシャー−トロプシュ由来潤滑油基油を得た。２つは留出物側−カット留分（ＸＬＦＴＢＯ及びＸＸＬＦＴＢＯ）であり、１つは、留出物である塔底留分（ＨＦＴＢＯ）であった。３つのフィッシャー−トロプシュ由来潤滑油基油についての試験データを以下の表ＩＩＩで示す。
表ＩＩＩ
【表３】
2010538116.tif 000005
【００８８】
ＨＦＴＢＯは、低トラクション係数を有する流動点低下ブレンド成分の例である。ＸＬＦＴＢＯは、式（１）によるノアック揮発度因子未満のノアック揮発度を有する潤滑油基油の留分の例である。ＸＸＬＦＴＢＯは、式（１）によるノアック揮発度因子及び式（２）によるノアック揮発度因子の両方のノアック揮発度因子未満のノアック揮発度を有する潤滑油基油の留分の例である。
【００８９】
（例２）
Ｃｈｅｖｒｏｎ  ＭＯＴＥＸ  ２Ｔ−Ｘは、高品質鉱物基油、ポリイソブテン、高性能低灰分清浄剤／分散剤添加剤パッケージ、及び高フラッシュ溶媒を用いて配合された２サイクルアウトボード（ｏｕｔｂｏａｒｄ）エンジン油である。Ｃｈｅｖｒｏｎ  Ｍｏｔｅｘ  ２Ｔ−Ｘに用いられる同様の高性能低灰分清浄剤／分散剤添加剤パッケージ及びポリイソブテン合成基油を用いた２サイクルガソリンエンジン潤滑油の３つの異なるブレンドを、先に記載のフィッシャー−トロプシュ由来基油を用いて調製した（ブレンドＢ、ブレンドＣ、及びブレンドＦ）。従来の鉱物基油及び高フラッシュ溶媒を用いた比較ブレンド（ＣＯＭＰブレンドＡ）も調製した。３つのブレンドの配合を表ＩＶにまとめる。
表ＩＶ
【表４】
2010538116.tif 000006
【００９０】
これら３つの２サイクルガソリンエンジン潤滑油ブレンドの性能特性を表Ｖに示す。
表Ｖ
【表５】
2010538116.tif 000007
【００９１】
引火点をＣｌｅｖｅｌａｎｄ  Ｏｐｅｎ  Ｃｕｐ  ＴｅｓｔｅｒによってＡＳＴＭ  Ｄ９２−０５ａを用いて測定した。アニリン点をＡＳＴＭ  Ｄ６１１−０４によって測定した。ブレンドＢ、ブレンドＣ、及びブレンドＦは、２５０℃未満の最高沸点を有する炭化水素溶媒を本質的に有さず、更にこれらは全て、従来の鉱油基油及び高フラッシュ溶媒によって製造されるＣＯＭＰ  ブレンドＡと比較して低い排気煙指数値、より低い流動点、及び改良された混和性を有した。最高レベルのＨＦＴＢＯを含むブレンドＦは、特に高い潤滑性指数を与え、更に依然として優れた混和性及び良好な排気煙指数を有した。
【００９２】
（例３）
Ｔｈａｉｌａｎｄ  Ｄｏｍｅｓｔｉｃ（ＴＩＳ  １０４０〜２５４１［１９９８］）についての仕様書を満たすように設計された清浄剤／分散剤添加剤パッケージを用いた２サイクルガソリンエンジン潤滑油のブレンドを、先に記載したフィッシャー−トロプシュ由来基油を用いて調製した。従来の石油由来基油及び高フラッシュ溶媒を用いた比較ブレンドも調製した。３つのブレンドの配合を以下のＶＩにまとめる。
表ＶＩ
【表６】
2010538116.tif 000008
【００９３】
これらの２サイクルガソリンエンジン潤滑油ブレンドの性能特性を表ＶＩＩに示す。
表ＶＩＩ
【表７】
2010538116.tif 000009
【００９４】
ブレンドＥはまた、低トラクション係数を有する流動点低下ブレンド成分、ＨＦＴＢＯも含んだ。このブレンドは、−２５℃において特に低い流動点及び良好な低温流動性を有したことに注意されたい。ブレンドＥは、従来の鉱油基油及び２５０℃未満の最高沸点を有する５重量％超の炭化水素溶媒を用いて製造されたＣＯＭＰブレンドＤと比べてより良好な低温流動性、より低い流動点、より良好なガソリン混和性、より良好な清浄性、及びより良好なピストンスカート堆積指数を有した。２５０℃未満の最高沸点を有する５重量％未満の炭化水素溶媒の添加によるブレンドＥは、ＪＡＳＯ  Ｍ３４５：２００３及びＩＳＯ１３７３８：２０００（Ｅ）、区分Ｃ及びＤの両方の要件に容易に合格した。
【００９５】
本明細書及び添付の特許請求の範囲の目的のために、本明細書及び添付の特許請求の範囲において用いられる量、百分率又は割合を表す全ての数及び他の数値は、別途示さない限り、全ての場合において用語「約」によって修飾されると理解されるべきである。また、本明細書に開示される全ての範囲は、終点を含み、独立して組み合わせることができる。
【００９６】
本願において引用された公報、特許及び特許出願は、各々個々の公報、特許及び特許出願がその全体において参照により組み入れられると具体的且つ個別に示されるのと同程度に、本明細書においてその全体が参照によって組み入れられる。
【００９７】
本明細書に書かれた説明は、最良の形態を含めた本発明を開示するための例、並びに、当業者による本発明の実施及び使用を可能にするための例も用いている。先に開示された本発明の例示的な実施形態の多くの変更は、当業者であれば容易に思い付くであろう。したがって、本発明は、添付の特許請求の範囲内にある全ての構造及び方法を含むものとして解釈されるべきである。
【図１】
2010538116.tif 000010
【手続補正書】
【提出日】平成20年12月31日(2008.12.31)
【手続補正１】
【補正対象書類名】特許請求の範囲
【補正対象項目名】全文
【補正方法】変更
【補正の内容】
【特許請求の範囲】
【請求項１】
潤滑油の調製方法であって：
ａ．実質的にパラフィン系のワックス供給物を水素異性化脱ろうし、それによって、潤滑油基油を生成すること；及び、
ｂ．潤滑油基油の１つ又は複数の留分を：
ｉ．全潤滑油組成物を基準にして約５重量％未満の、２５０℃未満の最高沸点を有する炭化水素溶媒、及び
ｉｉ．清浄剤／分散剤添加剤パッケージ
とブレンドすること
を含み、潤滑油がＪＡＳＯ  Ｍ３４５：２００３の要件を満たし、−２５℃において約７５００ｍＰａ．ｓ以下のブルックフィールド粘度を有する上記方法。
【請求項２】
実質的にパラフィン系のワックス供給物が、フィッシャー−トロプシュ由来である、請求項１に記載の方法。
【請求項３】
（削除）
【請求項４】
水素異性化脱ろうが、形状選択性中間孔径分子篩、貴金属水素化成分、及び耐火性酸化物支持体を含む触媒を用いる、請求項１に記載の方法。
【請求項５】
（削除）
【請求項６】
（削除）
【請求項７】
潤滑油基油の１つ又は複数の留分を、全潤滑油組成物を基準にして約２重量％未満の、２５０℃未満の最高沸点を有する炭化水素溶媒とブレンドすることを含む、請求項１に記載の方法。
【請求項８】
潤滑油基油の１つ又は複数の留分を、炭化水素を本質的に有していない溶媒とブレンドすることを含む、請求項７に記載の方法。
【請求項９】
潤滑油基油の１つ又は複数の留分を、ポリブテン、ポリイソブチレン及びこれらの混合物から選択される煙抑制剤とブレンドすることを更に含む、請求項１に記載の方法。
【請求項１０】
（削除）
【請求項１１】
潤滑油基油の１つ又は複数の留分を流動点低下ブレンド成分とブレンドすることを更に含む、請求項１に記載の方法。
【請求項１２】
潤滑油基油の１つ又は複数の留分が、１００℃において約１．５〜約３．５ｍｍ２／ｓの間の動粘度を有する、請求項１に記載の方法。
【請求項１３】
潤滑油基油の１つ又は複数の留分が、９０重量％未満のノアック揮発度を有する、請求項１に記載の方法。
【請求項１４】
（削除）
【請求項１５】
（削除）
【請求項１６】
潤滑油基油の１つ又は複数の留分が、ＡＳＴＭ  Ｄ３２３８−９５（２００５）による約９０重量％超のパラフィン炭素及び０．０１重量％未満の芳香族炭素を有する、請求項１に記載の方法。
【請求項１７】
（削除）
【請求項１８】
潤滑油が、ＡＳＴＭ  Ｄ９２−０５ａによる１２０℃を超える引火点を有する、請求項１に記載の方法。
【請求項１９】
潤滑油基油が、２８×Ｌｎ（１００℃における動粘度）＋９５を超える粘度指数を有する、請求項１に記載の方法。
【請求項２０】
潤滑油を製造する方法であって：
ａ．一緒に：
ｉ．１００℃において約１．５〜約３．５ｍｍ２／ｓの間の動粘度を有するワックス供給物から製造された基油の１つ又は複数の留分、及び
ｉｉ．流動点低下ブレンド成分
をブレンドして、流動点が低下した基油ブレンド成分を生成すること；並びに
ｂ．流動点が低下した基油ブレンドに：
ｉ．清浄剤／分散剤添加剤パッケージ；
ｉｉ．煙抑制剤；
ｉｉｉ．場合により流動点降下剤；及び
ｉｖ．場合により、約５重量％未満の、２５０℃未満の最高沸点を有する炭化水素溶媒
を添加すること
を含み、これにより２サイクルガソリンエンジン潤滑油である潤滑油を生成する上記方法。
【請求項２１】
潤滑油が：
（ａ）−２５℃における約７５００ｍＰａ．ｓ以下のブルックフィールド粘度；
（ｂ）−２５℃におけるＡＳＴＭ  Ｄ４６８２−８７（再承認２００２年）による混和性試験における合格の結果；
（ｃ）６５を超える排気煙指数；及び
（ｄ）約−３５℃以下の流動点
を有する、請求項２０に記載の方法。
【請求項２２】
（削除）
【請求項２３】
排気煙指数が８５以上である、請求項２０に記載の方法。
【請求項２４】
流動点が約−４０℃以下である、請求項２０に記載の方法。
【請求項２５】
煙抑制剤がポリイソブチレンである、請求項２０に記載の方法。
【請求項２６】
炭化水素溶媒が、脱芳香族化脂肪族溶媒である、請求項２０に記載の方法。
【請求項２７】
炭化水素を本質的に有していない溶媒が添加されている、請求項２０に記載の方法。
【請求項２８】
流動点低下ブレンド成分が、１５ｍｍ２／ｓの動粘度及び４０％の摺動対転がり比において測定されるとき、０．０１５未満のトラクション係数を有する、請求項２０に記載の方法。
【請求項２９】
ＪＡＳＯ  Ｍ３４５：２００３の要件を満たす２サイクルガソリンエンジン潤滑油である潤滑油を製造する方法であって：
ａ．供給物を異性化することによって流動点低下ブレンド成分を調製すること；
ｂ．流動点低下ブレンド成分を、
ｉ．１００℃において約１．５〜約３．５ｍｍ２／ｓの間の動粘度を有するワックス供給物から製造された留出液基油とブレンドして、流動点が低下した基油ブレンドを生成すること；
ｃ．流動点が低下した基油ブレンドを：
ｉ．清浄剤／分散剤添加剤パッケージ；及び
ｉｉ．全２サイクルガソリンエンジン潤滑油を基準にして５重量％未満の、２５０℃未満の最高沸点を有する炭化水素溶媒
と適切な割合でブレンドして、潤滑油を得ること
を含む上記方法。
【請求項３０】
供給物が、フィッシャー−トロプシュ由来ワックス、石油由来ワックス、プラスチック、及びこれらの混合物からなる群から選択される、請求項２９に記載の方法。
【請求項３１】
流動点低下ブレンド成分が：
ａ．異性化フィッシャー−トロプシュ由来ボトム生成物；
ｂ．異性化高ろう状鉱油から調製されるボトム生成物；
ｃ．１００℃において少なくとも約８ｍｍ２／ｓの動粘度を有する、ポリエチレンプラスチックから製造される異性化油；及び
ｄ．これらの混合物
からなる群から選択される、請求項２９に記載の方法。
【請求項３２】
（削除）
【請求項３３】
流動点低下ブレンド成分が、１５ｍｍ２／ｓの動粘度において及び４０％の摺動対転がり比で測定されるとき、０．０１５未満のトラクション係数を有する、請求項２９に記載の方法。
【請求項３４】
２サイクルガソリンエンジン潤滑油が、−２５℃において約７５００ｍＰａ．ｓ以下のブルックフィールド粘度を有する、請求項２９に記載の方法。
【請求項３５】
２サイクルガソリンエンジン潤滑油が、６５を超える排気煙指数を有する、請求項２９に記載の方法。
【請求項３６】
２サイクルガソリンエンジン潤滑油が、０．１８以下の重量％硫酸灰分を有する、請求項２９に記載の方法。
【請求項３７】
流動点低下ブレンド成分を煙抑制剤とブレンドすることを更に含む、請求項２９に記載の方法。
【請求項３８】
留出液基油が、フィッシャー−トロプシュ由来である、請求項２９に記載の方法。
【請求項３９】
ａ．実質的にパラフィン系のワックス供給物を水素異性化脱ろうすることにより、潤滑油基油を生成すること；並びに
ｂ．潤滑油基油の１つ又は複数の留分を：
ｉ．全潤滑油組成物を基準にして約５重量％未満の、２５０℃未満の最高沸点を有する炭化水素溶媒、及び
ｉｉ．清浄剤／分散剤添加剤パッケージ
とブレンドすること
を含み、潤滑油がＪＡＳＯ  Ｍ３４５：２００３の要件を満たし、−２５℃において約７５００ｍＰａ．ｓ以下のブルックフィールド粘度を有する方法によって製造される潤滑油。
【請求項４０】
実質的にパラフィン系のワックス供給物が、フィッシャー−トロプシュ由来である、請求項３９に記載の方法によって製造される潤滑油。
【請求項４１】
水素異性化脱ろうにおいて、形状選択性中間孔径分子篩、貴金属水素化成分、及び耐火性酸化物支持体を含む触媒を用いる、請求項３９に記載の方法によって製造される潤滑油。
【請求項４２】
潤滑油基油の１つ又は複数の留分を、全潤滑油を基準にして約２重量％未満の、２５０℃未満の最高沸点を有する炭化水素溶媒とブレンドすることを含む、請求項３９に記載の方法によって製造される潤滑油。
【請求項４３】
潤滑油基油の１つ又は複数の留分を、炭化水素を本質的に有していない溶媒とブレンドすることを含む、請求項３９に記載の方法によって製造される潤滑油。
【請求項４４】
潤滑油基油の１つ又は複数の留分を、ポリブテン、ポリイソブチレン及びこれらの混合物からなる群から選択される煙抑制剤とブレンドすることを更に含む、請求項３９に記載の方法によって製造される潤滑油。
【請求項４５】
（削除）
【請求項４６】
潤滑油基油の１つ又は複数の留分が、ＡＳＴＭ  Ｄ３２３８−９５（２００５）による約９０重量％超のパラフィン炭素及び０．０１重量％未満の芳香族炭素を有する、請求項３９に記載の方法によって製造される潤滑油。
【請求項４７】
ＪＡＳＯ  Ｍ３４５：２００３、区分Ｃ又は区分Ｄの要求を満たす、請求項３９に記載の方法によって製造される潤滑油。
【請求項４８】
ＩＳＯ１３７３８：２０００（Ｅ）の要求を満たす、請求項３９に記載の方法によって製造される潤滑油。
【請求項４９】
（削除）
【請求項５０】
−１０℃又は−２５℃におけるＡＳＴＭ  Ｄ４６８２−８７（再承認２００２年）による混和性試験において合格の結果を有する、請求項３９に記載の方法によって製造される潤滑油。
【請求項５１】
潤滑油が、潤滑油基油の１つ又は複数の留分を２０〜７０重量％の間で含む、請求項１又は２０に記載の方法。
【請求項５２】
潤滑油が、潤滑油基油の１つ又は複数の留分を５６．４５〜７０重量％の間で含む、請求項５１に記載の方法。
【請求項５３】
潤滑油が、潤滑油基油の１つ又は複数の留分を２０〜７０重量％の間で含む、請求項３９に記載の潤滑油。
【請求項５４】
潤滑油が、潤滑油基油の１つ又は複数の留分を５６．４５〜７０重量％の間で含む、請求項５３に記載の潤滑油。
【請求項５５】
潤滑油が、−２５℃において約７５００ｍＰａ．ｓ以下のブルックフィールド粘度を有する、請求項２０又は２９に記載の方法。
【請求項５６】
潤滑油が、−２５℃において約４７９９ｍＰａ．ｓ以下のブルックフィールド粘度を有する、請求項１、２０又は２９に記載の方法。
【請求項５７】
潤滑油が、−２５℃において約４７９９ｍＰａ．ｓ以下のブルックフィールド粘度を有する、請求項３９に記載の潤滑油。
【請求項５８】
潤滑油が少なくとも１１０のピストンスカート堆積指数を有する、請求項１、２０、又は２９に記載の方法。
【請求項５９】
潤滑油が、少なくとも１１０のピストンスカート堆積を有する、請求項３９に記載の潤滑油。
【請求項６０】
流動点低下ブレンド成分が：
ａ．異性化高ろう状鉱油から調製されるボトム生成物；
ｂ．１００℃において少なくとも約８ｍｍ２／ｓの動粘度を有する、ポリエチレンプラスチックから製造される異性化油；及び
ｃ．これらの混合物
からなる群から選択される、請求項２９に記載の方法。
【請求項６１】
潤滑油基油の流動点が、−８℃〜−４２℃未満である、請求項２０又は２９に記載の方法。
【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
潤滑油の調製方法であって：
ａ．実質的にパラフィン系のワックス供給物を水素異性化脱ろうし、脱ろう生成物を蒸留し、それによって、１５ｍｍ２／ｓの動粘度及び４０％の摺動対転がり比で測定されるとき、０．０１５未満のトラクション係数を有するこの脱ろう生成物から、潤滑油基油を生成すること；及び、
ｂ．潤滑油基油の１つ又は複数の留分を：
ｉ．全潤滑油組成物を基準にして約５重量％未満の、２５０℃未満の最高沸点を有する炭化水素溶媒、
ｉｉ．別の基油、及び
ｉｉｉ．１種以上の添加剤
とブレンドすること
を含み、このように調製された潤滑油が、２サイクルガソリンエンジン潤滑油である上記方法。
【請求項２】
実質的にパラフィン系のワックス供給物が、フィッシャー−トロプシュ由来である、請求項１に記載の方法。
【請求項３】
２サイクルガソリンエンジン潤滑油が、ＪＡＳＯ  Ｍ３４５：２００３の要件を満たす、請求項１に記載の方法。
【請求項４】
別の基油が、式：ＶＩ（粘度指数）＝２８×Ｌｎ（１００℃における動粘度、ｍｍ２／ｓ単位）＋９５によって規定される値より大きい粘度指数を有する、請求項１に記載の方法。
【請求項５】
潤滑油基油の１つ又は複数の留分のブレンドが、全潤滑油組成物を基準にして約２重量％未満の炭化水素溶媒と共に行われる、請求項１に記載の方法。
【請求項６】
トラクション係数が０．０１１未満である、請求項１に記載の方法。
【請求項７】
潤滑油基油が５６５℃（１０５０°Ｆ）超の５０重量％沸点を有する、請求項１に記載の方法。
【請求項８】
２サイクルガソリンエンジン潤滑油が、−２５℃において約７５００ｍＰａ．ｓ以下のブルックフィールド粘度を有する、請求項１に記載の方法。
【請求項９】
２サイクルガソリンエンジン潤滑油が、８５以上の排気煙指数を有する、請求項１に記載の方法。
【請求項１０】
２サイクルガソリンエンジン潤滑油が、１２０℃超の引火点を有する、請求項１に記載の方法。
【請求項１１】
潤滑油であって：
ａ．１５ｍｍ２／ｓの動粘度及び４０％の摺動対転がり比で測定されるとき、０．０１５未満のトラクション係数を有する異性化基油；及び、
ｂ．１種以上の添加剤
を含み、２サイクルガソリンエンジン潤滑油である潤滑油。
【請求項１２】
２サイクルガソリンエンジン潤滑油が、ＪＡＳＯ  Ｍ３４５：２００３の要件を満たす、請求項１１に記載の潤滑油。
【請求項１３】
異性化基油が、フィッシャー−トロプシュワックスから形成されている、請求項１１に記載の潤滑油。
【請求項１４】
２サイクルガソリンエンジン潤滑油が、−２５℃において約７５００ｍＰａ．ｓ以下のブルックフィールド粘度を有する、請求項１１に記載の潤滑油。
【請求項１５】
２サイクルガソリンエンジン潤滑油が、８５以上の排気煙指数を有する、請求項１１に記載の潤滑油。
【請求項１６】
２サイクルガソリンエンジン潤滑油が、１２０℃超の引火点を有する、請求項１１に記載の潤滑油。
【請求項１７】
２サイクルガソリンエンジン潤滑油が：
ｃ．−２５℃でＡＳＴＭ  Ｄ４６８２−８７（再承認２００２年）による混和性試験において合格の結果；
ｄ．６５超の排気煙指数；及び、
ｅ．約−３５℃以下の流動点
を有する、請求項１４に記載の潤滑油。
【請求項１８】
１種以上の添加剤が、煙抑制剤を含む、請求項１１に記載の潤滑油。
【請求項１９】
煙抑制剤が、ポリイソブチレンである、請求項１８に記載の潤滑油。
【請求項２０】
２サイクルガソリンエンジン潤滑油が、１０１以上の、１８０分評価の清浄性指数を有する、請求項１１に記載の潤滑油。
【国際調査報告】
2010538116.tif 000011